【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
無線通信のための方法において、
集中ユニットにより、前記集中ユニットとフロントホールインタフェースを介して通信する分散ユニットに向けて、ユーザ機器（ＵＥ）無線ベアラコンテキストを確立するためのセットアップ要求メッセージを送信するステップであって、前記セットアップ要求メッセージは、前記ＵＥを一意に識別するため前記集中ユニットにより割り当てられる第１アプリケーション層プロトコル（ＡＰ）識別子（ＩＤ）と、一又は複数のシグナリング無線ベアラについての構成情報とを含むステップと、
前記集中ユニットにより、前記分散ユニットが前記ＵＥ無線ベアラコンテキストを確立したことを示すセットアップ応答メッセージを前記分散ユニットから受信するステップであって、前記セットアップ応答メッセージは、前記ＵＥを一意に識別するため前記集中ユニットにより割り当てられる前記第１ＡＰ  ＩＤと、前記ＵＥを一意に識別するため前記分散ユニットにより割り当てられる第２ＡＰ  ＩＤと、前記分散ユニットにより設定された一又は複数のシグナル無線ベアラについての構成情報とを含むステップと、
前記集中ユニットから前記分散ユニットに、前記ＵＥ無線ベアラコンテキストを変更するための再構成要求メッセージを送信するステップであって、前記再構成要求メッセージは、前記ＵＥを一意に識別するため前記集中ユニットにより割り当てられる前記第１ＡＰ  ＩＤと、前記ＵＥを一意に識別するために前記分散ユニットにより割り当てられる第２ＡＰ  ＩＤと、一又は複数のデータ無線ベアラについての構成情報とを含むステップと、  前記集中ユニットにより、前記分散ユニットが前記ＵＥ無線ベアラコンテキストを変更したことを示す前記分散ユニットからの再構成応答メッセージを受信するステップであって、前記再構成応答メッセージは、前記ＵＥを一意に識別するため前記集中ユニットにより割り当てられる第１ＡＰ  ＩＤと、前記ＵＥを一意に識別するため前記分散ユニットにより割り当てられる第２ＡＰ  ＩＤと、変更されたデータ無線ベアラのリストを含むステップと
を含む、無線通信のための方法。
【請求項２】
前記集中ユニットにより、前記分散ユニットが前記ＵＥ無線ベアラコンテキストを確立することに失敗したことを示すセットアップ失敗メッセージを受信するステップを更に備え、前記セットアップ失敗メッセージは、前記ＵＥを一意に識別するため前記集中ユニットにより割り当てられる前記第１ＡＰ  ＩＤと、前記ＵＥを一意に識別するため前記分散ユニットにより割り当てられる第２ＡＰ  ＩＤと、失敗の原因とを含む、請求項１に記載の方法。
【請求項３】
前記分散ユニットにおける前記ＵＥ無線ベアラコンテキストの変更が失敗したことを示す再構成失敗メッセージを前記分散ユニットから前記集中ユニットにより受信するステップを更に含み、
前記再構成失敗メッセージは、前記集中ユニットにより前記ＵＥを一意に識別する前記第１ＡＰ  ＩＤと、前記分散ユニットにより前記ＵＥを一意に識別する前記第２ＡＰ  ＩＤと、失敗の原因とを含む、請求項１又は２に記載の方法。
【請求項４】
無線通信のための方法であって、
分散ユニットにおいて、前記分散ユニットと通信する集中ユニットから、フロントホールインタフェースを介して、ユーザ機器（ＵＥ）無線ベアラコンテキストを確立するためのセットアップ要求メッセージを受信するステップであって、前記セットアップ要求メッセージは、前記ＵＥを一意に識別するため前記集中ユニットにより割り当てられる第１アプリケーション層プロトコル（ＡＰ）識別子（ＩＤ）と、一又は複数のシグナリング無線ベアラについての構成情報とを含むステップと
前記分散ユニットから、前記集中ユニットに対し、前記分散ユニットが前記ＵＥ無線ベアラコンテキストを確立したことを示すセットアップ応答メッセージを受信するステップであって、前記セットアップ応答メッセージは、前記ＵＥを一意に識別するため前記集中ユニットにより割り当てられる前記第１ＡＰ  ＩＤと、前記ＵＥを一意に識別するため前記分散ユニットにより割り当てられる第２ＡＰ  ＩＤと、前記分散ユニットにより設定される位置又は複数のシグナル無線ベアラについての構成情報とを含むステップと、
前記分散ユニットにおいて、前記ＵＥ無線ベアラコンテキストを変更するための再構成要求メッセージを前記集中ユニットから受信するステップであって、前記再構成要求メッセージは、前記ＵＥを一意に識別するため前記集中ユニットにより割り当てられる前記第１ＡＰ  ＩＤと、前記ＵＥを一意に識別するために前記分散ユニットにより割り当てられる第２ＡＰ  ＩＤと、一又は複数のデータ無線ベアラについての構成情報とを含むステップと、
前記分散ユニットにより、前記分散ユニットが前記ＵＥ無線ベアラコンテキストを変更したことを示す再構成応答メッセージを前記集中ユニットに送信するステップであって、前記再構成応答メッセージは、前記ＵＥを一意に識別するため前記集中ユニットにより割り当てられる第１ＡＰ  ＩＤと、前記ＵＥを一意に識別するため前記分散ユニットにより割り当てられる第２ＡＰ  ＩＤと、変更されたデータ無線ベアラのリストを含むステップと
を含む方法。
【請求項５】
前記分散ユニットにより、前記分散ユニットが前記ＵＥ無線ベアラコンテキストの確立に失敗したことを示すセットアップ失敗メッセージを送信するステップであって、前記セットアップ失敗メッセージは、前記ＵＥを一意に識別するため前記集中ユニットにより割り当てられる前記第１ＡＰ  ＩＤと、前記ＵＥを一意に識別するために前記分散ユニットにより割り当てられる第２ＡＰ  ＩＤと、失敗の原因とを含む、請求項４に記載の方法。
【請求項６】
前記再構成要求メッセージは、前記一又は複数のデータ無線ベアラの各々の伝送チャネルアップリンクアドレスを含む、請求項１〜５のいずれか１項に記載の方法。
【請求項７】
前記再構成応答メッセージは、前記変更されたデータ無線ベアラの伝送チャネルダウンリンクアドレスを含む、請求項１〜６のいずれか１項に記載の方法。
【請求項８】
前記分散ユニットにより、前記分散ユニットにおける前記ＵＥ無線ベアラコンテキストの変更が失敗したことを示す再構成失敗メッセージを前記集中ユニットに送信するステップを更に備え、前記再構成失敗メッセージは、前記集中ユニットにより前記ＵＥを一意に識別第１ＡＰ  ＩＤと、前記分散ユニットにより一意に前記ＵＥを識別する第２ＡＰ  ＩＤと、失敗の原因とを含む、請求項１〜７のいずれか１項に記載の方法。
【請求項９】
プロセッサと、
プロセッサで実行可能な命令を含むメモリとを備える無線通信装置であって、
前記プロセッサで実行可能な命令は、前記プロセッサにより実行される場合、前記プロセッサに、
・分散ユニットに向けて、フロントホールインタフェースを介して、ユーザ機器（ＵＥ）無線ベアラコンテキストを確立するためのセットアップ要求メッセージを送信するステップであって、前記セットアップ要求メッセージは、前記ＵＥを一意に識別するため前記装置により割り当てられる第１アプリケーション層プロトコル（ＡＰ）識別子（ＩＤ）と、一又は複数のシグナリング無線ベアラについての構成情報とを含むステップと、
・前記分散ユニットが前記ＵＥ無線ベアラコンテキストを確立したことを示す前記分散ユニットからセットアップ応答メッセージを受信するステップであって、前記セットアップ応答メッセージは、前記ＵＥを一意に識別するため前記装置により割り当てられる前記第１ＡＰ  ＩＤと、前記ＵＥを一意に識別するため前記分散ユニットにより割り当てられる前記第２ＡＰ  ＩＤと、前記分散ユニットにより設定された一又は複数のシグナル無線ベアラについての構成情報とを含むステップと、
・前記分散ユニットに、前記ＵＥ無線ベアラコンテキストを変更するための再構成要求メッセージを送信するステップであって、前記再構成要求メッセージは、前記ＵＥを一意に識別するため前記装置により割り当てられる前記第１ＡＰ  ＩＤと、前記ＵＥを一意に識別するために前記分散ユニットにより割り当てられる第２ＡＰ  ＩＤと、一又は複数のデータ無線ベアラについての構成情報とを含むステップと、
・前記分散ユニットが前記ＵＥ無線ベアラコンテキストを変更したことを示す前記分散ユニットからの再構成応答メッセージを受信するステップであって、前記再構成応答メッセージは、前記ＵＥを一意に識別するため前記装置により割り当てられる第１ＡＰ  ＩＤと、前記ＵＥを一意に識別するため前記分散ユニットにより割り当てられる第２ＡＰ  ＩＤと、変更されたデータ無線ベアラのリストを含むステップと
を実行させる、無線通信装置。
【請求項１０】
前記プロセッサで実行可能な命令は、前記プロセッサにより実行される場合、前記プロセッサに、前記分散ユニットが前記ＵＥ無線ベアラコンテキストを確立することに失敗したことを示すセットアップ失敗メッセージを受信するステップを実行させ、
前記セットアップ失敗メッセージは、前記ＵＥを一意に識別するため前記装置により割り当てられる前記第１ＡＰ  ＩＤと、前記ＵＥを一意に識別するため前記分散ユニットにより割り当てられる第２ＡＰ  ＩＤと、失敗の原因とを含む、請求項９に記載の無線通信装置。
【請求項１１】
前記プロセッサで実行可能な命令は、前記プロセッサにより実行される場合、前記プロセッサに、前記分散ユニットにおいて前記ＵＥ無線ベアラコンテキストの変更が失敗したことを示す再構成失敗メッセージを前記分散ユニットから受信するステップを実行させ、  前記再構成失敗メッセージは、前記ＵＥを一意に識別するため前記装置により割り当てられる前記第１ＡＰ  ＩＤと、前記ＵＥを一意に識別するため前記分散ユニットにより割り当てられる第２ＡＰ  ＩＤと、失敗の原因とを含む、
を実行させる、請求項９又は１０に記載の無線通信装置。
【請求項１２】
プロセッサと、
プロセッサで実行可能な命令を含むメモリとを備える無線通信装置であって、
前記プロセッサで実行可能な命令は、前記プロセッサにより実行される場合、前記プロセッサに、
・前記集中ユニットから、フロントホールインタフェースを介して、ユーザ機器（ＵＥ）無線ベアラコンテキストを確立するためのセットアップ要求メッセージを受信するステップであって、前記セットアップ要求メッセージは、前記ＵＥを一意に識別するため前記集中ユニットにより割り当てられる第１アプリケーション層プロトコル（ＡＰ）識別子（ＩＤ）と、一又は複数のシグナリング無線ベアラについての構成情報とを含むステップと、・前記集中ユニットに対し、前記ＵＥ無線ベアラコンテキストが確立されたことを示すセットアップ応答メッセージを送信するステップであって、前記セットアップ応答メッセージは、前記ＵＥを一意に識別するため前記集中ユニットにより割り当てられる前記第１ＡＰ  ＩＤと、前記ＵＥを一意に識別するため前記装置により割り当てられる前記第２ＡＰ  ＩＤと、一又は複数のシグナル無線ベアラについての構成情報とを含むステップと、
・前記集中ユニットから、前記ＵＥ無線ベアラコンテキストを変更するための再構成要求メッセージを受信するステップであって、前記再構成要求メッセージは、前記ＵＥを一意に識別するため前記集中ユニットにより割り当てられる前記第１ＡＰ  ＩＤと、前記ＵＥを一意に識別するために前記装置により割り当てられる第２ＡＰ  ＩＤと、一又は複数のデータ無線ベアラについての構成情報とを含むステップと、
・前記ＵＥ無線ベアラコンテキストが変更されたことを示す再構成応答メッセージを送信するステップであって、前記再構成応答メッセージは、前記ＵＥを一意に識別するため前記装置により割り当てられる第１ＡＰ  ＩＤと、前記ＵＥを一意に識別するため前記装置により割り当てられる第２ＡＰ  ＩＤと、変更されたデータ無線ベアラのリストを含むステップと
を実行させる、無線通信装置。
【請求項１３】
前記プロセッサで実行可能な命令は、前記プロセッサにより実行される場合、前記プロセッサに、
前記集中ユニットにより、前記ＵＥ無線ベアラコンテキストを確立することに失敗したことを示すセットアップ失敗メッセージを送信するステップを実行させ、
前記セットアップ失敗メッセージは、前記ＵＥを一意に識別するため前記集中ユニットにより割り当てられる前記第１ＡＰ  ＩＤと、前記ＵＥを一意に識別するため前記装置により割り当てられる第２ＡＰ  ＩＤと、失敗の原因とを含む、請求項１２に記載の無線通信装置。
【請求項１４】
前記再構成要求メッセージは、前記一又は複数のデータ無線ベアラの各々の伝送チャネルアップリンクアドレスを含む、請求項９〜１３のいずれか１項に記載の無線通信装置。
【請求項１５】
前記再構成応答メッセージは、変更されたデータ無線ベアラの各々の伝送チャネルダウンリンクアドレスを含む、請求項９〜１４のいずれか１項に記載の無線通信装置。
【請求項１６】
前記プロセッサで実行可能な命令は、前記プロセッサにより実行される場合、前記プロセッサに、前記ＵＥ無線ベアラコンテキストの変更が失敗したことを示す再構成失敗メッセージを前記集中ユニットに向けて送信させ、
前記再構成失敗メッセージは、前記集中ユニットにより前記ＵＥを一意に識別する前記第１ＡＰ  ＩＤと、前記装置により前記ＵＥを一意に識別する前記第２ＡＰ  ＩＤと、失敗の原因とを含む、請求項１２〜１５のいずれか１項に記載の無線通信装置。